(57)【要約】【課題】つまみ部に加えられる力を当該蓋体の開放に効率的に加えることができて、容器本体からの開放を簡単に行うことのできる蓋体を提供すること。【解決手段】蓋体１０の嵌合フランジ１１に、前記容器本体に外から係合されることになる係合部１２ａを有したスカート部１２を形成するとともに、このスカート部１２の下端の一部を天板部１３と略平行になるつまみ部１４とし、このつまみ部１４と嵌合フランジ１１の上面との間に押圧傾斜面１５を形成し、この押圧傾斜面１５の側面につまみ部１４に至る分散脚１６を形成し、さらに、つまみ部１４の一部であって、押圧傾斜面１５の先端部に位置する部分に補強部１７を形成したこと。【選択図】図１
2008074444.tif 000002
【特許請求の範囲】
【請求項１】
容器本体のフランジ上に嵌合される嵌合フランジを有する包装用容器のための蓋体であって、
この蓋体の前記嵌合フランジに、前記容器本体に外から係合されることになる係合部を有したスカート部を形成するとともに、このスカート部の下端の一部を天板部と略平行になるつまみ部とし、
このつまみ部と前記嵌合フランジの上面との間に押圧傾斜面を形成し、この押圧傾斜面の側面に前記つまみ部に至る分散脚を形成し、さらに、前記つまみ部の一部であって、前記押圧傾斜面の先端部に位置する部分に補強部を形成したことを特徴とする包装用容器のための蓋体。
【請求項２】
前記補強部は、上方または下方に膨出させたものであることを特徴とする請求項１に記載の蓋体。
【発明の詳細な説明】
【技術分野】
【０００１】
本発明は、包装用容器の蓋体に関し、特に合成樹脂シートを真空または圧空成形することにより形成される蓋体に関するものである。
【背景技術】
【０００２】
近年では、スーパーやコンビニエンスストアにおいて、お惣菜やお弁当が大量かつ多種類のものとして販売されており、これらのお弁当等は、所謂「中食」として家庭や職場に持ち帰って食されるものである。このような「中食」を持ち帰るために必要なのが、「包装用容器」である。勿論、この種の「包装用容器」は、お弁当やお惣菜以外のものについても使用されているものであり、通常は、ものを入れるための容器本体と、これに嵌合される蓋体とからなっているものが多い。
【０００３】
このような容器本体とこれに嵌合される蓋体とからなる包装用容器は、一般的には合成樹脂シートを真空または圧空成形されるものであり、安価でかつ衛生的に製造されるものである。ところが、容器本体に嵌合された蓋体を外そうとする場合、なかなか外れないことがある。その大きな理由は、容器本体と蓋体との密閉を確実にするために、各嵌合部分が正確な寸法のものに製造されているため外れにくく成っているからであり、容器全体を軽量化するためもあって、原料の合成樹脂シートが非常に薄くなってきているため力を加えにくくなっているからであると考えられる。
【０００４】
そこで、この種の容器本体と蓋体とからなる包装用容器については、特許文献１にも示されているように、蓋体の容器本体に対する嵌合を簡単に解除できるようにしたものが種々提案されてきているのである。
【０００５】
【特許文献１】特開２００５−２４７３２０号公報、要約、代表図
【発明の開示】
【発明が解決しようとする課題】
【０００６】
特許文献１に示されたものは、「容器」に関する発明であって、「蓋体を容器本体に対する閉鎖状態から開放させる場合、蓋体の嵌合部を容器本体のフランジ部への外嵌状態から簡単に離脱させることができて、蓋体を片手操作で容易に開放させることができる容器を提供する」ことを目的としてなされたものである。
【０００７】
そして、この特許文献１に記載された「容器」は、図６及び図７に示すように、「容器１１を、開口周縁にフランジ部１４を有する合成樹脂シート製の容器本体１２と、外周縁に容器本体１２のフランジ部１４に外嵌可能な嵌合部１５を有する合成樹脂シート製の蓋体１３とから構成する。蓋体１３の嵌合部１５の外周には、フランジ部１４の上面との接合箇所を支点として、そのフランジ部１４から離間する方向に屈曲可能な膨出部１６を外方に向かって膨出するように形成する」ようにしたものであり、「蓋体の嵌合部を容器本体のフランジ部への外嵌状態から簡単に離脱させることができて、蓋体を片手操作で容易に開放させることができる」ものになっていると考えられる。
【０００８】
しかしながら、この特許文献１の容器では、図７に示したように、「膨出部１６」内に指を入れて開放しようとするとき、「膨出部１６」に掛けた力が、「ヒレ部１７」と「嵌合部１５」との境界部分を屈曲してしまうだけに使用され、蓋体を開放するようにうまく働かないと考えられる。そのため、結果的には、この「膨出部１６」を指で摘んで大きく引き剥がすような力を加えなければならなくなってしまう。何故なら、この種の容器は、上述した通り、非常に薄い合成樹脂シートによって形成されているため、「ヒレ部１７」と「嵌合部１５」との境界部分が簡単に屈曲してしまうからである。
【０００９】
以上のことから、この特許文献１に記載された発明では、当該文献の段落００１２や００１３に記載されているように、「膨出部の輪郭をほぼ球殻状」にしたり、「屈曲部を構成する膨出部の外面に窪み部を設け」ることがなされるのであるが、これでも、「膨出部１６」に掛けた力が蓋体を開放するようにうまく働かないと考えられる。
【００１０】
そこで、本発明者等は、非常に薄い合成樹脂シートによって成形しても、つまみ部に掛けた力が蓋体を開放するためのものに効率的に変換できるようにするにはどうしたらよいか、について種々検討を重ねてきた結果、本発明を完成したのである。
【００１１】
すなわち、本発明の目的とするところは、つまみ部に加えられる力を当該蓋体の開放に効率的に加えることができて、容器本体からの開放を簡単に行うことのできる蓋体を提供することにある。
【課題を解決するための手段】
【００１２】
以上の課題を解決するために、本発明の採った手段は、後述する最良形態の説明中で使用する符号を付して説明すると、
「容器本体のフランジ上に嵌合される嵌合フランジ１１を有する包装用容器のための蓋体１０であって、
この蓋体１０の嵌合フランジ１１に、前記容器本体に外から係合されることになる係合部１２ａを有したスカート部１２を形成するとともに、このスカート部１２の下端の一部を天板部１３と略平行になるつまみ部１４とし、
このつまみ部１４と嵌合フランジ１１の上面との間に押圧傾斜面１５を形成し、この押圧傾斜面１５の側面につまみ部１４に至る分散脚１６を形成し、さらに、つまみ部１４の一部であって、押圧傾斜面１５の先端部に位置する部分に補強部１７を形成したことを特徴とする包装用容器のための蓋体１０」
である。
【００１３】
すなわち、包装用容器のための本発明に係る蓋体１０は、合成樹脂シートを真空または圧空成形することにより形成されて、図示しない容器本体のフランジ上に嵌合される嵌合フランジ１１を、図１に示すように、有するものである。
【００１４】
また、この蓋体１０は、その嵌合フランジ１１に、図１の（ｂ）に示すように、前記容器本体に外から係合されることになる係合部１２ａを有したスカート部１２を形成したものであり、図１の（ａ）、及び図２〜図５に示すように、スカート部１２の下端の一部を天板部１３と略平行になるつまみ部１４としたものである。
【００１５】
そして、この蓋体１０は、図２〜図５にも示すように、つまみ部１４と嵌合フランジ１１の上面との間に押圧傾斜面１５を形成したものであり、この押圧傾斜面１５の側面につまみ部１４に至る分散脚１６を形成したものである。さらに、この蓋体１０は、特に図２に示すように、つまみ部１４の一部であって、押圧傾斜面１５の先端部に位置する部分に補強部１７を形成したものである。
【００１６】
この蓋体１０の補強部１７については、種々な形状が考えられるものであり、単なる平面的なものに形成して実施してもよく、また、後述する請求項２に係るそれの場合のように、前記合成樹脂シートを真空または圧空成形する際に、上方または下方に膨出させることにより形成するように実施してもよいものである。
【００１７】
さて、以上のように構成した本発明に係る蓋体１０を、図示しない容器本体から外す場合には、例えば左手の掌の上に容器本体を載せ、当該蓋体１０の押圧傾斜面１５上に反対側の右手の人差し指を添えて、押圧傾斜面１５の先端に位置するつまみ部１４の端部に右手の親指を掛ける。そして、親指を人差し指に対して捻るような力を掛ければ、当該蓋体１０は容器本体から簡単に外せる。
【００１８】
何故なら、親指からつまみ部１４の先端に掛けられた力は、まず、押圧傾斜面１５の先端部分に直接掛けられるとともに、このつまみ部１４に形成してあった各補強部１７を介して、当該つまみ部１４の他の部分に掛けられることになるからである。そして、つまみ部１４の先端から押圧傾斜面１５に掛けられた力は、この押圧傾斜面１５の先端を上動させる力に変えられるが、このとき、当該押圧傾斜面１５の両側には分散脚１６がそれぞれ形成してあったから、少なくとも当該押圧傾斜面１５自体が加えられた力によって潰れることはない。
【００１９】
以上の結果、親指の人差し指に対する「捻り」が、各分散脚１６によって容易には潰れない押圧傾斜面１５を支点としてなされることになり、つまみ部１４は、その全体が潰れたり曲がったりすることなく図示しない容器本体側から引き起こされるのである。この押圧傾斜面１５の近傍の嵌合フランジ１１が図示しない容器本体から外れれば、この外し部分をきっかけとすることができるから、当該蓋体１０全体の開放は、つまみ部１４をつまんで引き剥がすなり、蓋体１０全体を手で包み込んで引き剥がすなりすれば、簡単かつ確実に行えるのである。
【００２０】
従って、本発明に係る蓋体１０は、つまみ部１４に加えられる力を当該蓋体１０の開放に効率的に加えることができて、容器本体からの開放が簡単に行えるものとなっているのである。
【００２１】
以上の課題を解決するために、請求項２に係る発明の採った手段は、上記請求項１の蓋体１０について、
「補強部１７は、上方または下方に膨出させたものであること」
としたものである。
【００２２】
すなわち、この請求項２の蓋体１０においては、その補強部１７について、前記合成樹脂シートを真空または圧空成形する際に、上方または下方に膨出させることにより形成したものである。
【００２３】
補強部１７が、上方に膨出させたものである場合には、図３にも示すように、この補強部１７自体を大きなものとし得るのである。これに対して、補強部１７が下方に膨出させたものである場合には、この補強部１７が図示しない容器本体側のフランジ上に当接するから、この補強部１７近傍の嵌合フランジ１１を、容器本体側のフランジ上に浮き上がった状態にすることができて、当該蓋体１０の外しをより一層簡単に行えるようにすることができる。
【００２４】
従って、この請求項２に係る蓋体１０は、上記請求項１のそれと同様な機能を発揮する他、容器本体からの開放をより一層簡単に行えるものとなっているのである。
【発明の効果】
【００２５】
以上、詳述した通り、本発明においては、
「容器本体のフランジ上に嵌合される嵌合フランジ１１を有する包装用容器のための蓋体１０であって、
この蓋体１０の嵌合フランジ１１に、前記容器本体に外から係合されることになる係合部１２ａを有したスカート部１２を形成するとともに、このスカート部１２の下端の一部を天板部１３と略平行になるつまみ部１４とし、
このつまみ部１４と嵌合フランジ１１の上面との間に押圧傾斜面１５を形成し、この押圧傾斜面１５の側面につまみ部１４に至る分散脚１６を形成し、さらに、つまみ部１４の一部であって、押圧傾斜面１５の先端部に位置する部分に、上方または下方に膨出する補強部１７を形成したこと」
にその構成上の特徴があり、これにより、つまみ部に加えられる力を当該蓋体の開放に効率的に加えることができて、容器本体からの開放を簡単に行うことのできる蓋体１０を提供することができるのである。
【発明を実施するための最良の形態】
【００２６】
次に、上記のように構成した本発明を、図面に示した最良の形態である蓋体１０について説明すると、図１には、本発明に係る蓋体１０の平面図（ａ）と、この図１の（ａ）中の１−１線に沿ってみた端面図（図示右側）を含む断面図が示してある。なお、この蓋体１０の嵌合フランジ１１が嵌合されるべきフランジを有する容器本体は、一般的なものであるため、図示を省略している。
【００２７】
この蓋体１０は、図１の（ｂ）にも示したように、前記容器本体のフランジ上に嵌合されることになる嵌合フランジ１１を有していて、この嵌合フランジ１１の外周にスカート部１２が一体的に形成してある。このスカート部１２のさらに外端には、図１の（ｂ）に示したように、前記容器本体に外から係合されることになる係合部１２ａが形成してあり、この係合部１２ａは、前記容器本体のフランジの外端縁に形成してある係合部に係止されるものである。
【００２８】
また、このスカート部１２の下端の一部は、図１の（ａ）、図２及び図３に示したように、これを天板部１３と略平行に延在させることにより、つまみ部１４としてある。このつまみ部１４は、図１の（ａ）に示したように、当該蓋体１０側の嵌合フランジ１１の外側に部分的に突出するものであり、「ここを利用して開封して下さい」という製造者側の意志を示すとともに、実際にここを利用すれば、前述したように、当該蓋体１０の容器本体に対する開封ができるものである。
【００２９】
また、このつまみ部１４と嵌合フランジ１１の上面との間には、図２にも示したように、押圧傾斜面１５が形成してある。この押圧傾斜面１５の側面には、図１〜図３に示したように、つまみ部１４に至る分散脚１６が一体的に形成してあり、つまみ部１４と分散脚１６の間には、図２中の点線にて示したように、屈曲線としてある。これにより、つまみ部１４に加えられた力は、各分散脚１６や嵌合フランジ１１側に伝達されることになる。
【００３０】
そして、つまみ部１４の一部であって、押圧傾斜面１５の先端部に位置する部分には、図１の（ａ）、図２及び図３に示したように、上方または下方に膨出する補強部１７が形成してある。これら各補強部１７は、この種包装用容器における「補強リブ」と同様な役割を果たすものであり、各補強部１７の存在によってつまみ部１４の該当部分の強度を確保するものである。換言すれば、これら各補強部１７は、薄い合成樹脂シートによって形作られたつまみ部１４の強度を高めて、このつまみ部１４を使用した当該蓋体１０の開放を、つまみ部１４が簡単に曲がらないようにしながら、確実に行えるようにしているものである。
【００３１】
なお、これらの各補強部１７を、下側に膨出したものとした場合には、つまみ部１４の下側に容器本体側のフランジが位置していても、このフランジから補強部１７を浮き上がらせることができて、つまみ部１４を使用した蓋体１０の開放をより行い易くすることになる。
【００３２】
また、この蓋体１０においては、上述したつまみ部１４や押圧傾斜面１５に重ならない位置に、図１及び図５に示したように、ブロッキング防止突起１８が形成してある。このブロッキング防止突起１８の存在によって、図５にも示したように、複数の蓋体１０を重ねたとき、各蓋体１０がブロッキング（互いに嵌り込んでしまうこと）することを防止することができる。
【図面の簡単な説明】
【００３３】
【図１】本発明に係る蓋体を示すもので、（ａ）は平面図、（ｂ）は（ａ）中の１−１線にそってみた右半分を切断端面とした縦断面図である。
【図２】図１の（ａ）中に示した２−２線に沿ってみた部分拡大斜視図である。
【図３】図２に示した部分の正面図である。
【図４】図１の（ａ）中に示した３−３線に沿ってみた部分拡大断面図である。
【図５】複数の蓋体を重ねたときの様子を示す部分拡大断面図である。
【図６】従来の技術を示す部分拡大斜視図である。
【図７】図６に示した従来技術の部分拡大断面図である。
【符号の説明】
【００３４】
１０    蓋体
１１    嵌合フランジ
１２    スカート部
１２ａ  係合部
１３    天板部
１４    つまみ部
１５    押圧傾斜面
１６    分散脚
１７    補強部
１８    ブロッキング防止突起
【図１】
2008074444.tif 000003
【図２】
2008074444.tif 000004
【図３】
2008074444.tif 000005
【図４】
2008074444.tif 000006
【図５】
2008074444.tif 000007
【図６】
2008074444.tif 000008
【図７】
2008074444.tif 000009